(57)【要約】【課題】ＲＦＩＤ付のタグを物品に取り付ける際に、その物品に関するデータをＲＦＩＤに書き込めるようにする。【解決手段】装置本体１０の前面に係止片の打出口１１ａが形成され、操作レバー１５の係止片打出し操作により打出口１１ａから係止片を打ち出して、この係止片によりタグ３０，４０を物品６０に取り付けるものであって、装置本体１０に、アンテナの交信領域内にあるＲＦＩＤに対して非接触でデータの書込みを行うＲＦＩＤ書込ユニット１７を、アンテナの交信領域が装置本体１０の前面側にあるように設ける。そして、操作レバーの係止片打出し操作に応じて、主制御部１８が、ＲＦＩＤ書込ユニット１７のアンテナからＲＦＩＤへの書込みデータを発信させる。【選択図】      図１
2006027678.tif 000002
【特許請求の範囲】
【請求項１】
装置本体の前面に係止片の打出口が形成され、操作レバーの係止片打出し操作により前記打出口から前記係止片を打ち出して、当該係止片によりタグを物品に取り付けるタグ取付装置において、
前記装置本体に、アンテナの交信領域内にあるＲＦＩＤに対して非接触でデータの書込みを行うＲＦＩＤ書込ユニットを、前記アンテナの交信領域が前記装置本体の前面側にあるように設けるとともに、
前記操作レバーの係止片打出し操作に応じて、前記ＲＦＩＤ書込ユニットのアンテナから前記ＲＦＩＤへの書込みデータを発信させるＲＦＩＤ書込み手段を具備したことを特徴とするタグ取付装置。
【請求項２】
装置本体の前面に係止片の打出口が形成され、操作レバーの係止片打出し操作により前記打出口から前記係止片を打ち出して、当該係止片により商品識別コードが印刷された商品管理タグを商品に取り付けるタグ取付装置において、
前記装置本体に、アンテナの交信領域内にあるＲＦＩＤに対して非接触でデータの書込みを行うＲＦＩＤ書込ユニットを、前記アンテナの交信領域が前記装置本体の前面側にあるように設けるとともに、
前記商品管理タグに印刷された商品識別コードを読み取るコード読取手段と、
このコード読取手段で読み取った商品識別コードによって識別される商品に関する情報を取得する商品情報取得手段と、
前記操作レバーの係止片打出し操作を検知する操作検知手段と、
この操作検知手段により前記操作レバーの係止片打出し操作が検知されると、前記商品情報取得手段により取得した商品情報を前記ＲＦＩＤへの書込みデータとして前記ＲＦＩＤ書込ユニットのアンテナから発信させるＲＦＩＤ書込み手段と、
を具備したことを特徴とするタグ取付装置。
【請求項３】
前記ＲＦＩＤ書込ユニットにおけるアンテナの交信領域内にＲＦＩＤが存在するか監視するＲＦＩＤ監視手段をさらに具備し、
前記ＲＦＩＤ書込み手段は、前記アンテナの交信領域内にＲＦＩＤが存在することを条件に前記ＲＦＩＤへの書込みデータを発信させることを特徴とする請求項２記載のタグ取付装置。
【請求項４】
前記商品情報取得手段により商品情報を取得したとき前記商品管理タグの取付許可を報知する報知手段をさらに具備したことを特徴とする請求項２記載のタグ取付装置。
【請求項５】
前記操作レバーの操作をロックする操作ロック手段と、
前記ＲＦＩＤ監視手段により前記アンテナの交信領域内にＲＦＩＤが存在することを確認すると前記操作ロック手段を機能させて前記操作レバーの操作をロックし、その後、前記商品情報取得手段により商品情報を取得すると前記操作ロック手段による操作レバーのロックを解除するロック制御手段と、
をさらに具備したことを特徴とする請求項２または３記載のタグ取付装置。
【発明の詳細な説明】
【技術分野】
【０００１】
本発明は、係止片を打ち出してその係止片により商品管理タグ等のタグを商品等の物品に取り付けるタグ取付装置に関する。
【背景技術】
【０００２】
近年、頭部とフィラメント部と横棒とから構成され、全体がＨ形をした合成樹脂製の係止片により、品名や価格等の商品情報を印刷した商品管理タグを商品に取り付けることが行われている。このような係止片はタグ取付装置によって打ち出され、タグと物品を同時に挿通することで、タグと物品を取り付ける。
【０００３】
従来のタグ取付装置の一構造例を図７に示す。このタグ取付装置は、装置本体１に設けられた引金２を引くと電動モータ３が回転し、この回転が歯車４に伝達されて歯車４が時計方向に回動する。すると、揺動アーム５が軸６を中心に装置本体１の前方に向かって回動し、この揺動アーム５の前傾運動に伴ってピストン７が前進し、中空針８の入口に位置している係止片がピストン７によって押出されて、中空針８の先端から打ち出される。このとき、図示しないカッタによって係止片の横棒と係止片群９の連結棒とを連結する連結部が切断される構造になっている（例えば、特許文献１参照）。
【０００４】
ところで近年、アンテナとＩＣチップとから構成されるＲＦＩＤが実用化されている。このＲＦＩＤは、ＩＣチップに多量のデータを保存できること、ＩＣチップへのデータの書込みや読出しを電波または電磁波を利用して非接触で行うため汚れ，埃などの影響を受け難いこと、複数のＲＦＩＤからＩＣチップの情報を同時に読込むことができること等の利点がある。
【０００５】
そこで販売店においては、ＲＦＩＤを利用した商品管理が考えられている。すなわち、ＲＦＩＤを付した商品管理タグを生成し、この商品管理タグのＲＦＩＤに商品の品名，価格等の商品データを書き込む。そして、この商品管理タグを該当する商品に前記タグ取付機を利用して取り付ける。こうすることにより、例えば商品販売時に、販売商品に取り付けられた商品管理タグのＲＦＩＤに記憶された商品データを、ＰＯＳ端末に接続されたＲＦＩＤリーダライタにより非接触で読み取ることによって、当該商品の販売データを処理することができる（例えば、特許文献２参照）。
【特許文献１】特開平６−１７１６３２号公報
【特許文献２】特開２００２−７４２８６号公報
【発明の開示】
【発明が解決しようとする課題】
【０００６】
しかしながら、ＲＦＩＤに記憶されている商品データを目視で確認することはできないので、ＲＦＩＤ付の商品管理タグを商品に取り付ける際に当該商品の商品データを記憶していない商品管理タグを誤って取り付けてしまわないように細心の注意を払わなければならないという煩雑さがあった。
【０００７】
このような問題は、タグ取付装置によってＲＦＩＤ付の商品管理タグを商品に取り付ける際に、その商品に関する商品データをＲＦＩＤに書き込むことによって解決することができる。
【０００８】
そこで本発明は、ＲＦＩＤ付のタグを物品に取り付ける際に、その物品に関するデータをＲＦＩＤに書き込むことができるタグ取付装置を提供しようとするものである。
【課題を解決するための手段】
【０００９】
本発明は、装置本体の前面に係止片の打出口が形成され、操作レバーの係止片打出し操作により打出口から係止片を打ち出して、この係止片によりタグを物品に取り付けるタグ取付装置において、装置本体に、アンテナの交信領域内にあるＲＦＩＤに対して非接触でデータの書込みを行うＲＦＩＤ書込ユニットを、アンテナの交信領域が装置本体の前面側にあるように設けるとともに、操作レバーの係止片打出し操作に応じて、ＲＦＩＤ書込ユニットのアンテナからＲＦＩＤへの書込みデータを発信させるＲＦＩＤ書込み手段とを設けたものである。
【００１０】
かかる手段を講じたタグ取付装置においては、操作レバーの係止片打出し操作を行うと、打出口から係止片が打ち出されて、この係止片によりタグが物品に取り付けられるとともに、ＲＦＩＤ書込ユニットのアンテナからＲＦＩＤへの書込みデータが発信される。したがって、タグがＲＦＩＤ付のタグであるとき、タグが商品に取り付けられると同時に、そのタグのＲＦＩＤに所定のデータが書き込まれる。
【発明の効果】
【００１１】
このように本実施の形態によれば、ＲＦＩＤ付のタグを物品に取り付ける際に、その物品に関するデータをＲＦＩＤに書き込むことができるタグ取付装置を提供することができる。
【発明を実施するための最良の形態】
【００１２】
以下、本発明を実施するための最良な形態について、図面を用いて説明する。  
なお、この実施の形態は、図７で示したＨ形の係止片を打ち出してタグを物品に取り付けるタグ取付装置に本発明を適用した場合である。
【００１３】
（第１の実施形態）
図１は本発明に係わるタグ取付装置の第１の実施形態を示す構成図である。本装置は、ユーザが片手で把持可能な形状、例えばピストル型をした装置本体１０内に中空針１１を備えている。中空針１１は、その先端を係止片の打出口１１ａとして装置本体１０の前面から突出させている。中空針１１内には、ピストン駆動機構１２により中空針１１の中心軸に沿って往復移動可能なようにピストン１３が設けられている。また、中空針１１の略中央部には、係止片群１４の最下段に位置する係止片が打出口１１ａと対峙するように供給される。しかして、ピストン１３が前進することによって、係止片群１４の最下段に位置する係止片が打出口１１ａから外部へ打ち出されるようになっている。
【００１４】
また本装置は、装置本体１０の前面下部に操作レバーとしての引金１５を備えている。引金１５は、ユーザが指で引くことによって図中破線で示す位置（Ｂ）まで回動可能であり、指を離すと図中実線で示す位置（Ａ）まで自動的に戻る構造となっている。
【００１５】
また本装置は、装置本体１０の前面側である打出口１１ａの近傍に、バーコード読取ユニット１６とＲＦＩＤ書込ユニット１７とを備えている。バーコード読取ユニット１６は、バーコードを光学的にスキャニングして読み取るもので、装置本体１の前面側をバーコードの読み取り領域とするように設けられている。本実施の形態では、図２（ａ）に示すように、商品管理タグ３０の表面に印刷されているバーコード３１の読み取りに供される。このバーコード３１は、当該商品管理タグ３０が付される商品固有の商品識別コードであり、商品管理タグ３０には、バーコード３１の他、当該バーコードによって識別される商品の品名，価格，サイズ等の商品データを示す文字が印刷されている。ここに、バーコード読取ユニット１６は、コード読取手段を構成する。
【００１６】
ＲＦＩＤ書込ユニット１７は、アンテナの交信領域内にあるＲＦＩＤに対して非接触でデータの書込みを行うもので、装置本体１０の前面側をアンテナの交信領域とするように設けられている。本実施の形態では、図２（ｂ）に示すように、ＲＦＩＤタグ４０に貼り付けられたアンテナとＩＣチップとから構成されるＲＦＩＤインレット４１のＩＣチップに対して非接触でデータの書込みを行う。
【００１７】
バーコード読取ユニット１６とＲＦＩＤ書込ユニット１７は、ＣＰＵを主体にプログラム制御を行う主制御部１８に接続されている。主制御部１８にはその他、無線による送信データ及び受信データを処理する無線回路１９、ＬＥＤ等で構成された報知手段としての表示部２０、前記レバースイッチ２１等も接続されている。
【００１８】
本装置は、無線回路１９を介して、商品データベース５０を管理しているコンピュータ（不図示）、例えばＰＯＳシステムにおけるストアコンピュータと赤外線通信等の無線通信を利用してデータの送受信が可能となっている。商品データベース５０には、各商品固有の商品識別コードに対応して、その商品の品名，価格，サイズ（衣料品の場合）等の商品データが予め設定記憶されている。
【００１９】
レバースイッチ２１は、図３のタイミングチャートに示すように、引金１５が引かれて地点（Ｂ）まで移動したとき出力信号をオンし、引金１５が離されて地点（Ａ）まで戻ったとき出力信号をオフする構造となっている。このレバースイッチ２１の出力信号は、主制御部１８と電動モータ２２にそれぞれ供給される。
【００２０】
電動モータ２２は、ピストン駆動機構１２の駆動源であり、レバースイッチ２１の出力信号がオフからオンに変わるとピストン駆動機構１２を一方向に駆動させる。これにより、同タイミングチャートに示すように、ピストン１３が中空針１１内の末端側（０）から先端側（Ｘ）に移動する。このとき、中空針１１の打出口１１ａに対峙するように供給されていた係止片の横棒と係止片群１４の連結棒とを連結する連結部が図示しないカッタによって切断され、係止片が打出口１１ａから打ち出される。また、レバースイッチ２１の出力信号がオンからオフに変わるとピストン駆動機構１２を逆方向に駆動させる。これにより、同タイミングチャートに示すように、ピストン１３が中空針１１内の先端側（Ｘ）から末端側（０）に戻る。このとき、係止片群１４の最下段に位置している係止片が中空針１１の打出口１１ａに対峙するように供給される。
【００２１】
主制御部１８は、図４の流れ図に示すように、ＲＦＩＤ書込ユニット１７におけるアンテナの交信領域内にＲＦＩＤが存在するか常に監視している（ＲＦＩＤ監視手段）。すなわち、ＲＦＩＤ書込ユニット１７から定期的に問合せ信号を発信させ（ＳＴ１）、この問合せ信号に対するＲＦＩＤからの応答信号有無を監視している（ＳＴ２）。そして、ＲＦＩＤからの応答信号を受信し、交信領域内にＲＦＩＤが存在すると認識すると、主制御部１８は、バーコード読取ユニット１６によるスキャニング動作を制御する（ＳＴ３）。このスキャニング動作により商品管理タグ３０に印刷されている商品識別コードのバーコード３１が読み取られると（ＳＴ４）、主制御部１８は、そのバーコードをデコードして得た商品識別コードの商品データ問合せコマンドを生成する。そして、この問合せコマンドを商品データベース５０を管理するコンピュータに無線回路１９を介して無線送信する（ＳＴ５：商品情報取得手段）。
【００２２】
この商品データ問合せコマンドに対して商品データベース５０を管理するコンピュータから商品データの応答を受信すると（ＳＴ６）、主制御部１８は、この受信した商品データを内蔵のメモリに一時記憶し、表示部２０にタグ取付許可の表示を行う（ＳＴ７：報知手段）。
【００２３】
この状態で、主制御部１８は、レバースイッチ２１からの出力信号を監視する（ＳＴ８：操作検知手段）。そして、出力信号がオフからオンに変わると、操作レバー１５が係止片打出し操作されたので、主制御部１８は、メモリに記憶した商品データをＲＦＩＤ書込ユニット１７に与え、ＲＦＩＤへの書込みを指令する（ＳＴ９：ＲＦＩＤ書込み手段）。
【００２４】
その後、主制御部１８は、レバースイッチ２１からの出力信号を監視し（ＳＴ１０）、レバースイッチ２１からの出力信号がオフしたことを検知すると、表示部２０の表示を消去する（ＳＴ１１）。しかる後、ＲＦＩＤ書込ユニット１７におけるアンテナの交信領域内にＲＦＩＤが存在するのを待機するものとなっている。
【００２５】
このように構成された本実施の形態のタグ取付装置は、図２（ａ）に示すような商品管理タグ３０と、同図（ｂ）に示すようなＲＦＩＤタグ４０とを、例えば衣料品等の商品に取り付ける作業において利用される。すなわち、本作業を行う例えば販売店の店員は、図１に示すように、商品管理タグ３０とＲＦＩＤタグ４０とを、お互いの係止片挿入孔３２，４２が連通するように重ね、商品管理タグ３０に印刷されているバーコード３１の商品識別コードによって特定される商品６０の上に配置する。このとき、商品管理タグ３０のバーコード３１をバーコード読取ユニット１６で読取れるように、商品管理タグ３０の表面を上向きとし、その裏面側にＲＦＩＤタグ４０を重ねる。ＲＦＩＤタグ４０は、ＲＦＩＤ書込ユニット１７がＲＦＩＤに対して非接触でデータを書き込めるので、ＲＦＩＤインレット４１が貼付されている面を商品管理タグ３０と重ねてもよいし、重ねなくてもよい。
【００２６】
この状態で、作業員は装置本体１０を把持し、中空針１１の先端である係止片の打出口１１ａが商品管理タグ３０とＲＦＩＤタグ４０の係止片挿入孔３２，４２に向くように位置決めする。そうすると、ＲＦＩＤタグ４０に貼付されていたＲＦＩＤインレット４１が、ＲＦＩＤ書込ユニット１７におけるアンテナの交信領域内に入り、当該ＲＦＩＤインレット４１がＲＦＩＤ書込ユニット１７によって認識されるので、バーコード読取ユニット１６によるスキャニング動作が行われる。
【００２７】
これにより、商品管理タグ３０に印刷されている商品識別コードのバーコード３１が読み取られる。バーコード３１が正常に読み取られると、本装置では、そのバーコード３１を解析して得た商品識別コードをキーとする商品データ問合せコマンドが生成され、無線送信される。この商品データ問合せコマンドは、商品データベース５０を管理するコンピュータにて受信される。そして、商品データベース５０が検索されて、当該商品識別コードに対応して設定されている品名，価格，サイズ等の商品データが応答データとして無線送信され、本装置にて受信される。
【００２８】
これにより、本装置では表示部２０にタグ取付許可の表示が行われる。そこで作業者は、タグ取付許可の表示を確認したならば、引金１５を引く。すると、商品データベース５０から検索された商品データがＲＦＩＤ書込ユニット１７を介してＲＦＩＤタグ４０のＲＦＩＤインレット４１に書き込まれる。また、電動モータ２２が起動し、ピストン駆動機構１２の作動によりピストン１３が前進して、係止片引出し口１１ａから係止片が打ち出される。この係止片は、商品管理タグ３０及びＲＦＩＤタグ４０の係止片挿入孔３２，４２を挿通し、さらに商品６０を挿通して、商品６０に両タグ３０，４０を取り付ける。その後、作業者が引金１５を離すと、タグ取付許可の表示が消去される。
【００２９】
このように、商品管理タグ３０とＲＦＩＤタグ４０とを重ねて当該商品管理タグ３０によって管理される商品６０の上に置き、本実施の形態のタグ取付装置を操作して両タグ３０，４０を係止片で商品６０に取り付けることによって、ＲＦＩＤタグ４０のＲＦＩＤインレット４１には、商品管理タグ３０に印刷されている商品識別データによって識別される商品のデータ、つまりは当該タグ４０が取り付けられた商品６０に関するデータが必ず書き込まれる。したがって、商品管理タグ３０を付け間違えない限り、商品６０に取り付けられたＲＦＩＤタグ４０のＲＦＩＤインレット４１に記憶されるデータは、当該商品６０に関するデータとなるので、ＲＦＩＤタグ４０と商品６０との対応関係を取付前に一致させる必要はなくなる。
【００３０】
しかも、タグ取付装置の操作自体は、中空針１１の先端である打出口１１ａをタグ３０，４０の係止片挿入孔３２，４２に向けた状態で引金１５を引くという点で従来と同様であるので、作業者がタグ取付作業を従来よりも煩雑に感じることはない。
【００３１】
また、ＲＦＩＤ書込ユニット１７におけるアンテナの交信領域内にＲＦＩＤが存在しない場合には、ＲＦＩＤにデータを書き込むための電波または電磁波が発信されないので、ＲＦＩＤタグ４０を取り付けない場合に本装置を使用しても電波の発信に必要な電力が無駄に消費されることはなく、効率的である。
【００３２】
さらに、商品管理タグ３０に印刷されている商品識別コードによって識別される商品のデータを取得した時点でタグ取付許可の表示が行われる。したがって作業者は、ＲＦＩＤ発行許可の表示が成されるのを待って引金１５を操作すればよく、そうすることによって、商品６０に取り付けられたＲＦＩＤタグ４０のＲＦＩＤインレット４１に確実に当該商品６０に関するデータを記憶させることができるようになる。
【００３３】
（第２の実施形態）
図５は本発明に係わるタグ取付装置の第２の実施形態を示す構成図である。本実施形態のタグ取付装置が第１の実施形態のそれと異なる点は、操作レバーである引金１５の操作ロック手段としてロック機構７０を備え、このロック機構７０のロックと解除を主制御部１８により切替え制御するようにした点である。それ以外は、第１の実施形態と同様なので、共通する部分に同一符号を付して、説明を省略する。
【００３４】
本実施の形態において、主制御部１８は、図６に示すように、ＲＦＩＤ書込ユニット１７におけるアンテナの交信領域内にＲＦＩＤが存在するか常に監視しており（ＳＴ１，ＳＴ２：ＲＦＩＤ監視手段）、ＲＦＩＤからの応答信号を受信し、交信領域内にＲＦＩＤが存在すると認識すると、主制御部１８は、ロック機構７０をオンして、引金１５の操作をロックする（ＳＴ２３：ロック制御手段）。
【００３５】
次いで、主制御部１８は、バーコード読取ユニット１６によるスキャニング動作を制御し（ＳＴ２４）、商品管理タグ３０に印刷されている商品識別コードのバーコード３１が読み取られると（ＳＴ２５）、主制御部１８は、そのバーコードをデコードして得た商品識別コードの商品データ問合せコマンドを生成して、この問合せコマンドを商品データベース５０を管理するコンピュータに無線回路１９を介して無線送信する（ＳＴ２６：商品情報取得手段）。
【００３６】
その結果、上記コンピュータから商品データの応答を受信すると（ＳＴ２７）、主制御部１８は、この受信した商品データを内蔵のメモリに一時記憶し、表示部２０にタグ取付許可の表示を行うとともに（ＳＴ２８：報知手段）、ロック機構７０をオフしてロックを解除する（ＳＴ２９：ロック制御手段）。
【００３７】
この状態で、主制御部１８は、レバースイッチ２１からの出力信号を監視する（ＳＴ３０：操作検知手段）。そして、出力信号がオフからオンに変わると、操作レバー１５が係止片打出し操作されたので、主制御部１８は、メモリに記憶した商品データをＲＦＩＤ書込ユニット１７に与え、ＲＦＩＤへの書込みを指令する（ＳＴ３１：ＲＦＩＤ書込み手段）。
【００３８】
その後、主制御部１８は、レバースイッチ２１からの出力信号を監視し（ＳＴ３２）、レバースイッチ２１からの出力信号がオフしたことを検知すると、表示部２０の表示を消去する（ＳＴ３３）。しかる後、ＲＦＩＤ書込ユニット１７におけるアンテナの交信領域内にＲＦＩＤが存在するのを待機する。
【００３９】
なお、バーコード読取ユニット１６がスキャニング動作している最中も、主制御部１８はＲＦＩＤ書込ユニット１７におけるアンテナの交信領域内にＲＦＩＤが存在するかどうかを監視しており（ＳＴ３４）、ＲＦＩＤからの応答信号を受信できなくなり、交信領域内にＲＦＩＤが存在しなくなったと認識すると（ＳＴ３５）、主制御部１８はロック機構７０をオフして、引金１５のロックを解除する（ＳＴ３６）。その後、再びＲＦＩＤ書込ユニット１７におけるアンテナの交信領域内にＲＦＩＤが存在するのを待機するものとなっている。
【００４０】
このように本実施の形態においては、引金１５に対してロック機構７０が設けられており、ＲＦＩＤ書込ユニット１７におけるアンテナの交信領域内にＲＦＩＤが存在することを確認したならば引金１５の操作をロックし、その後、ＲＦＩＤに書き込むべき商品データを取得すると引金１５のロックを解除するようにしている。したがって、ＲＦＩＤに書き込むべき商品データが取得されるまで引金１５を操作できないので、ＲＦＩＤ発行許可の表示が成される前に誤って引金１５を操作してしまって、ＲＦＩＤタグ４０のＲＦＩＤインレット４１に商品６０に関するデータを書き込めないままＲＦＩＤタグ４０を商品管理タグ３０とともに商品６０に取り付けてしまうミスを未然に防ぐことができる。
【００４１】
なお、この発明は前記第１及び第２の実施形態そのままに限定されるものではなく、実施段階ではその要旨を逸脱しない範囲で構成要素を変形して具体化できる。
【００４２】
例えば、前記各実施形態では、商品管理タグ３０とＲＦＩＤタグ４０の２種類のタグを同時に商品６０に取り付ける場合を示したが、商品管理タグ３０の裏面にＲＦＩＤインレットを貼付したＲＦＩＤ付商品管理タグを商品６０に取り付ける場合も同様に適用できるものである。
【００４３】
また、前記各実施形態では、Ｈ型の係止片を打ち出してタグを商品に取り付けるタグ取付装置に本発明を適用した場合を示したが、係止片の形状や打出機構の構造等は、前記実施形態のものに限定されるものではない。また、操作レバーも引金１５の形状をなしている必要は必ずしもない。
【００４４】
また、前記各実施形態では、商品識別コードをバーコードとし、このバーコードをバーコード読取ユニット１６で読み取るようにしたが、バーコードでなく、例えば二次元データコードとして、二次元データコード読取ユニットで商品識別コードを読み取ってもよい。あるいは、文字情報を読取可能なＯＣＲで商品管理タグ３０に印刷されている文字情報を読み取り解析して、ＲＦＩＤに記憶させる商品データを取得するようにしてもよい。この場合、商品データベース５０に商品データを問合わせる必要がないので、無線回路１９等の通信機能を不要にできる。
【００４５】
また、報知手段は、表示に限定されるものではなく、例えばブザーなどの音声によってユーザに報知するようにしてもよい。この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４６】
【図１】本発明の第１の実施形態であるタグ取付装置の構成図。
【図２】同第１の実施形態で使用する商品管理タグとＲＦＩＤタグの平面図。
【図３】同第１の実施形態における引金，レバースイッチ及びピストンの動作タイミングを示すタイミングチャート。
【図４】同第１の実施形態における主制御部の主要な制御手順を示す流れ図。
【図５】本発明の第２の実施形態であるタグ取付装置の構成図。
【図６】同第２の実施形態における主制御部の主要な制御手順を示す流れ図。
【図７】従来のタグ取付装置の内部構造を示す図。
【符号の説明】
【００４７】
１０…装置本体、１１…中空針、１２…ピストン駆動機構、１３…ピストン、１４…係止片群、１５…引金、１６…バーコード読取ユニット、１７…ＲＦＩＤ書込ユニット、１８…主制御部、１９…無線回路、２０…表示部、２１…レバースイッチ、２２…電動モータ、３０…商品管理タグ、４０…ＲＦＩＤタグ、５０…商品データベース、６０…商品、７０…ロック機構。
【図１】
2006027678.tif 000003
【図２】
2006027678.tif 000004
【図３】
2006027678.tif 000005
【図４】
2006027678.tif 000006
【図５】
2006027678.tif 000007
【図６】
2006027678.tif 000008
【図７】
2006027678.tif 000009